(57)【要約】【課題】筺体のコイン投入口へ投入されたコインを詰まることなくコインメック側へ導くことができる筺体／コインダクトシステム。【解決手段】筺体／コインダクトシステム７０は、コイン投入口１８ａを含む前面扉１２ｂを有する筺体１１と、筺体１１内に設けられたコインメック８ａおよびコイン集積部８ｂと、コイン投入口１８ａとコインメック８ａとを連結するコインダクト６０とを備えている。コインダクト６０はコインシュータ６１と、コインシュータ６１の両側に設けられた一対の側板ガイド６５ａ，６５ｂと、コインシュータ６１の下端に設けられた姿勢変化部６４とを有する。姿勢変化部６４は垂直方向に延びる垂直筒体からなり、その長さはコインＣの最大直径より大きくなっている。【選択図】図９
2012018537.tif 000002
【特許請求の範囲】
【請求項１】
コイン投入口を含む前面扉を有する筺体と、
筺体内に設けられコイン投入口から投入されたコインの種類及び数量を検出するコインメック、およびコインメックを経たコインを集積するコイン集積部と、
筺体内に設けられ、コイン投入口とコインメックとを連結するコインダクトを備え、
コインダクトは傾斜して配置されコイン投入口からのコインを受けて下方へ導くコインシュータと、コインシュータの両側に設けられた一対の側板ガイドと、コインシュータの下端に設けられコインシュータからのコインの姿勢を垂直方向に向けてコインメックへ導く姿勢変化部とを有し、
姿勢変化部は垂直方向に延びる垂直筒体からなり、この垂直筒体はコインの最大直径以上の長さを有することを特徴とする筺体／コインダクトシステム。
【請求項２】
コインダクトの入口における一方の側板ガイド内面に、コイン投入口から投入されたコインに当接してコインの移動速度を減速させる減速部材を設けたことを特徴とする請求項１記載の筺体／コインダクトシステム。
【請求項３】
コインダクトのコインシュータ正面からみて、一方の側板ガイドは折れ曲がって内側に向って突出し、他方の側板ガイドは折れ曲がって外側に向って突出することを特徴とする請求項２記載の筺体／コインダクトシステム。
【請求項４】
コインシュータ上には、一方の側板ガイド近傍にコインに当接する当接ピンを設けたことを特徴とする請求項２又は３のいずれか記載の筺体／コインダクトシステム。
【請求項５】
一対の側板ガイド間の幅は、コインダクトの入口および出口において狭くなっており、コインダクトの中央部において拡大することを特徴とする請求項１記載の筺体／コインダクトシステム。
【発明の詳細な説明】
【技術分野】
【０００１】
本発明は筐体／コインダクトシステムに係り、とりわけ筐体のコイン投入口へ投入されたコインを詰まることなく課金システムへ送ることができる筐体／コインダクトシステムに関する。
【背景技術】
【０００２】
従来より写真画像プリントシステムとして、天板と、背面側板と、一対の側方側板と、底板とを有する筐体と、筐体の天板上に配置され、デジタルメディア挿入口を有するパーソナルコンピューター（ＰＣ）本体と、ディスプレイとを有するＰＣと、筐体内に収納されたプリンタおよび課金システムとを備えたものが知られている。
【０００３】
使用にあたって操作者は、ＰＣ本体のデジタルメディア挿入口に必要な画像情報を格納したデジタルメディア、例えばＳＤ（secure digital）カード、ＣＤ−ＲＯＭ等を挿入し、ディスプレイ上で必要な情報を入力する。
【０００４】
その後、操作者は課金システムに接続された筐体の前面扉に設けられたコイン投入口へ必要な額のコインを投入する。操作者がコインを投入した後、プリンタが写真画像をプリントして写真画像印刷物を作成し、この写真画像印刷物は前面扉から排出される。
【０００５】
上述のように、写真画像印刷物を作成する場合、筐体の前面扉に設けられたコイル投入口へ必要な額のコインを投入している。コイル投入口へ投入されたコインは、コインダクトを経て課金システムに送られる。
【０００６】
この間、コイル投入口へ投入されたコインはコインダクトと課金システムとの間で姿勢を変えて課金システム内へ導入されるが、コインが姿勢を変える際、後続するコインによって抑えられてコイルの詰まりが生じることがある。
【先行技術文献】
【特許文献】
【０００７】
【特許文献１】特開２００５−１１１８９３号公報
【特許文献２】特開２００６−    １６９４号公報
【発明の概要】
【発明が解決しようとする課題】
【０００８】
本発明はこのような点を考慮してなされたものであり、筐体のコイン投入口に投入されたコインをコインダクトを経てスムーズに課金システムに導くことができる筐体／コインダクトシステムを提供することを目的とする。
【課題を解決するための手段】
【０００９】
本発明は、コイン投入口を含む前面扉を有する筺体と、筺体内に設けられコイン投入口から投入されたコインの種類及び数量を検出するコインメック、およびコインメックを経たコインを集積するコイン集積部と、筺体内に設けられ、コイン投入口とコインメックとを連結するコインダクトを備え、コインダクトは傾斜して配置されコイン投入口からのコインを受けて下方へ導くコインシュータと、コインシュータの両側に設けられた一対の側板ガイドと、コインシュータの下端に設けられコインシュータからのコインの姿勢を垂直方向に向けてコインメックへ導く姿勢変化部とを有し、姿勢変化部は垂直方向に延びる垂直筒体からなり、この垂直筒体はコインの最大直径以上の長さを有することを特徴とする筺体／コインダクトシステムである。
本発明は、コインダクトの入口における一方の側板ガイド内面に、コイン投入口から投入されたコインに当接してコインの移動速度を減速させる減速部材を設けたことを特徴とする筺体／コインダクトシステムである。
本発明は、コインダクトのコインシュータ正面からみて、一方の側板ガイドは折れ曲がって内側に向って突出し、他方の側板ガイドは折れ曲がって外側に向って突出することを特徴とする筺体／コインダクトシステムである。
本発明は、コインシュータ上には、一方の側板ガイド近傍にコインに当接する当接ピンを設けたことを特徴とする筺体／コインダクトシステムである。
本発明は、一対の側板ガイド間の幅は、コインダクトの入口および出口において狭くなっており、コインダクトの中央部において拡大することを特徴とする筺体／コインダクトシステムである。
【発明の効果】
【００１０】
以上のように本発明によれば、コインダクトはコイン投入口からのコインを受けて下方へ導くコインシュータと、コインシュータの下端に設けられコインの姿勢を垂直方向に設ける姿勢変化部とを有し、姿勢変化部は垂直方向に延びる垂直筒体を有し、この垂直筒体の長さはコインの最大直径以上の長さを有する。このため垂直筒体内に入ったコインは後続するコインと干渉することなく、垂直筒体内のコインをスムーズに垂直方向に向けてコインメック側へ送ることができ、コインの詰まりを防止できる。
【図面の簡単な説明】
【００１１】
【図１】図１は本発明による筐体／コインダクトシステムが組込まれた写真画像プリントシステムを前方側からみた概略斜視図。
【図２】図２は写真画像プリントシステムの操作テーブルの作用を示す図であって、便宜上スライドレールを取除いた状態を示す図。
【図３】図３は写真画像プリントシステムを後方側からみた概略斜視図。
【図４】図４は横方向に配置された複数台の写真画像プリントシステムを示す図。
【図５】図５は便宜上操作テーブルを取外した場合において、プリンタ側の第１前面扉を開いた状態を示す写真画像プリントシステムを示す図。
【図６】図６は便宜上載置台を取外した場合において、課金システム側の第２前面扉を開いた状態を示す写真画像プリントシステムを示す図。
【図７】図７は便宜上後方覆い板を取外した場合において、ＰＣ囲い体の内部を後方側からみた図。
【図８】図８はＰＣ本体の構成を示すブロック図。
【図９】図９（ａ）（ｂ）は本発明による筐体／コインダクトシステムを示す図。
【図１０】図１０（ａ）（ｂ）は比較例としての筐体／コインダクトシステムを示す図。
【発明を実施するための形態】
【００１２】
以下、図面を参照して本発明による筐体／コインダクトシステムについて説明する。
【００１３】
まず筐体／コインダクトシステムが組込まれた写真画像プリントシステムについて説明する。
図１乃至図８は写真画像プリントシステムの一実施の形態を示す図である。
【００１４】
ここで図１は写真画像プリントシステムを前方側からみた概略斜視図であり、図２は写真画像プリントシステムの操作テーブルの作用を示す図であって、便宜上スライドレールを取除いた状態を示す図であり、図３は写真画像プリントシステムを後方側からみた概略斜視図であり、図４は横方向に配置された複数台の写真画像プリントシステムを示す図であり、図５は便宜上操作テーブルを取外した場合において、プリンタ側の第１前面扉を開いた状態を示す写真画像プリントシステムを示す図であり、図６は便宜上平板台を取外した場合において、課金システム側の第２前面扉を開いた状態を示す写真画像プリントシステムを示す図であり、図７は便宜上後方覆い板を取外した場合において、ＰＣ囲い体の内部を後方側からみた図であり、図８はＰＣ本体の構成を示すブロック図である。
【００１５】
図１乃至図５に示すように、本発明による写真画像プリントシステムは、天板１１ａと、一対の側方側板１１ｂ，１１ｂと、背面側板１１ｃと、底板１１ｄとを有する筐体１１と、筐体１１の天板１１ａ上であって左右方向の一側（図５の左側）５０ａの後方に配置されたパーソナルコンピューター（ＰＣ）２０と、筐体１１内に収納された２台のプリンタ２ａ，２ｂおよび課金システム８とを備えている。
【００１６】
このうち筐体１１は上述のように天板１１ａと、一対の側方側板１１ｂ，１１ｂと、背面側板１１ｃと底板１１ｄとを有し、筐体１１には筐体１１内をプリンタ２ａ，２ｂを収納するプリンタ収納領域６ａと、課金システム８を収納する課金システム収納領域６ｂとに区画する仕切板７が設けられている。
【００１７】
そして筐体１１の天板１１ａ上の一側５０ａは、プリンタ収納領域６ａに対応している。また筐体１１の天板１１ａ上の他側（図５の右側）５０ｂは、課金システム収納領域６ｂに対応し、上述のように２台のプリンタ２ａ，２ｂは上下方向に配置されてプリンタ収納領域６ａ内に収納され、課金システム８は課金システム収納領域６ｂ内に収納されている。
【００１８】
またＰＣ２０は、後述する画像情報が格納されたＳＤカード、ＣＤ−ＲＯＭ等のデジタルメディア２１Ｄが挿入されるデジタルメディア挿入口２１ａを有するＰＣ本体２１と、ＰＣ本体２１上に載置されたディスプレイ２２とを有している。
【００１９】
次にＰＣ本体２１内の構成について、図８により説明する。図８はＰＣ本体２１内の構成を示すブロック図である。
【００２０】
図８に示すようにＰＣ本体２１は、画像データ読込書込手段２１Ａと、画像編集合成手段２１Ｂと、素材データベース２１Ｃとを備え、ＰＣ本体２１に、ディスプレイ２２、プリンタ２ａ，２ｂおよび課金システム８が接続されている。
【００２１】
画像データ読込書込手段２１Ａは、予め画像データが記録されたデジタルメディア２１Ｄから読み取ることにより、画像データを取得する。また、画像データ読込書込手段２１Ａは、ＰＣ本体２１が作成した画像データをデジタルメディア２１Ｄに記録することもできる。
【００２２】
デジタルメディア２１Ｄは、例えば、ＳＤ（secure digital）カード、スマートメディア、コンパクトフラッシュ（登録商標）カード、フレキシブルディスク、ＰＣ（Personal Computer）カード、ＣＤ−ＲＯＭ（Compact Disc-Read Only Memory）等である。
【００２３】
画像編集合成手段２１Ｂは、一つ以上の画像データに対して、落書き、スタンプのような加工、画像データの切抜き、変倍、切り抜いた画像の他の画像への貼り付け等、合成編集等を対話的に行う対話型インタフェース手段と画像処理プログラムで構成される。加工や合成編集に扱う画像データとしては、素材データベース２１Ｃに存在する素材画像データ、フレーム画像データ等を用いることもできる。
【００２４】
ところでＰＣ本体２１に接続されたプリンタ２ａ，２ｂは、高解像度カラープリンタである。昇華型あるいはインクジェット型などの方式は問わない。
【００２５】
また操作者はディスプレイ２２の画面２２ａを通してＰＣ本体２１に出力すべき注文内容を必要に応じて選択する。選択項目としては、モードの選択（実画像データの通常の出力を行うのか、シールプリントを行うのか、ＣＤ−Ｒ等の記録メディアへの書き込みを行うのか、等の指定）、さらに、実画像データの通常の出力等の場合には、複数コマ分の画像データを入力した場合、どの画像をプリントするのかの指定、プリント枚数やプリントサイズの指定等がある。なお、利用者は画像を出力する前に、一つ以上の画像データを指定して加工および合成編集することができる。
【００２６】
ところでこのような構成からなるＰＣ２０は、天板１１ａの一側５０ａの後方に配置され、天板１１ａの一側５０ａの前方には操作用テーブル１５が前後方向に移動自在に配置されている。
【００２７】
この操作用テーブル１５は操作者が写真画像プリントシステム１０のディスプレイ２２を操作する際、操作者の前方に位置して、操作者が操作中に腕、手等を載置することができる。
【００２８】
また操作用テーブル１５は操作用テーブル本体１５ａと、ＰＣ本体２１のデジタルメディア挿入口２１ａに対応する開口１５ｃを有する操作用垂直板１５ｂとを有し、天板１１ａの一側５０ａ上に設けられたスライドレール１５ｄに沿って前後方向に移動することができる。また操作用テーブル１５に、デジタルメディア操作時の悪影響を除くために、静電気防止シートを貼付してもよい。
【００２９】
また天板１１ａの左右方向の他側５０ｂには、平板状の載置台１６が設けられている。この載置台１６には操作者が操作中に手荷物等を載置することができる。
【００３０】
また載置台１６は平板状のものに限られることはなく、表面にエンボスが付された台であってもよく、水平面に対して傾斜している台であってもよく、さらに表面が湾曲している台であってもよい。
【００３１】
すなわち、従来の写真画像プリントシステムでは、ＰＣが筐体の天板左右方向中央部に載置されているため、操作者は手荷物等を足元の床面上におくことになるが、本発明によれば、ＰＣ２０が天板１１ａの一側５０ａ上に設けられ、天板１１ａの他側５０ｂに載置台１６が設けられているため、操作者は手荷物等を載置台１６上に載置することができる。このように操作者は手荷物等を載置台１６上に載置することができるので、操作者にとって写真画像プリントシステムの操作性が向上する。
【００３２】
ところで、筐体１１は全体として鋼製となっており、天板１１ａの他側５０ｂには貫通口３３が設けられている（図６参照）。そして木製の載置台１６を天板１１ａの他側５０上に配置することにより、筐体１１の課金システム収納空間６ｂ側に、無線ＬＡＮ（local area network）の送受信機（図示せず）を配置することができる。この場合、筐体１１の天板１１ａに設けられた貫通口３３によって無線ＬＡＮの送受信機の通信経路が形成される。
【００３３】
なお、天板１１ａの一側５０ａに設けられた操作用テーブル１５の高さは、天板１１ａの他側５０ｂに設けられた載置台１６の高さより高くなっている。このため操作者は載置台１６を操作用テーブル１５から明瞭に区別することができ、当該載置台１６上に間違いなく手荷物等を載置することができる。
【００３４】
また載置台１６の前方側にはカサ立て用の凹部１７が形成され、この凹部１７内にスポンジ材１７ａが挿着されている。操作者はこのカサ立て用の凹部１７内にカサの把持部を引掛けることができる。このとき凹部１７内のスポンジ材１７ａはカサの把持部により押圧されて、凹部１７内へ引込む。このようにカサの把持部を凹部１７内に引掛けることにより、カサが載置台１６からずり落ちることはない。
【００３５】
他方、操作者がカサ立て用の凹部１７を使用しない場合、スポンジ材１７ａは元の形に戻って凹部１７内を埋めるので、凹部１７内にゴミ等が混入することはない。
【００３６】
ところで、図３および図７に示すように、筐体１１の天板１１ａ上に配置されたＰＣ２０を覆ってＰＣ囲い体２５が設けられている。ＰＣ囲い体２５は後方側開口を有する囲い体本体２５ｂと、囲い体本体２５ｂの後方側開口を覆う後方覆い板２５ａとを有し、天板１１ａ上に固定されている。
【００３７】
また図３および図７に示すように、ＰＣ２０のディスプレイ２２上に、ディスプレイ２２を覆ってディスプレイ覆い板２６が設けられており、ディスプレイ２２側のディスプレイ覆い板２６と、ＰＣ囲い体２５側の後方覆い板２５ａとによって、ディスプレイ２２を覆ってディスプレイ２２にゴミあるいはほこりが付着することを防ぐことができる。またディスプレイ覆い板２６によって、室内の蛍光灯からの光の映り込みを防ぎ、ディスプレイ２２中の画像をより良くみることができる。
【００３８】
ここで図７はＰＣ囲い体２５の内部を後方側からみた図であって、便宜上後方覆い板２５ａを取り外した状態を示す図である。
【００３９】
図７に示すように、ＰＣ２０のディスプレイ２２の背面にディスプレイ側固定板４５が設けられており、かつ天板１１ａに固定されたＰＣ囲い体２５側に天板側固定板４４が設けられている。
【００４０】
そしてディスプレイ側固定板４５と、天板側固定板４４との間が連結機構４６により連結されており、ディスプレイ側固定板４５と、天板側固定板４４と、連結機構４６とによって、ディスプレイ保持機構４２が構成されている。
【００４１】
すなわちＰＣ２０のうち、デジタルメディア挿入口２１ａを有するＰＣ本体２１は天板１１ａ上に配置されており、ディスプレイ２２はＰＣ本体２１上に、ＰＣ本体２１に対して揺動自在に設けられている。
【００４２】
そしてＰＣ本体２１に対してディスプレイ２２を上下方向に揺動させ、その後図７に示す連結機構４６および天板側固定板４４を、ＰＣ囲い体２５に対して摺動させて、連結機構４６および天板側固定板４４をＰＣ囲い体２５に固定する。例えば室内の外光からの反射等を考慮してディスプレイ２２の揺動角度を調整した後、天板側固定板４４の溝４４ａ内に設けられた固定ネジ４６ａをＰＣ囲い体２５に締付けて、連結機構４６および天板側固定板４４を固定する。このことにより、室内の照明状況に応じてディスプレイ２２の設置角度を所望の値に定めることができる。
【００４３】
また、ディスプレイ保持機構４２のディスプレイ側固定板４５に、ディスプレイ２２の両側に位置する一対の遮へい板４３，４３が設けられている。
【００４４】
すなわち、各遮へい板４３，４３は、ディスプレイ側固定板４５に揺動レバー４８を介して前後方向に揺動可能に取付けられている（図７参照）。
【００４５】
例えば、操作者がディスプレイ２２の画面２２ａに対する操作内容を他人に見られたくない場合、他人側にある遮へい板４３を前方に揺動させる。このことにより、ディスプレイ２２の画面２２ａに対する操作内容を他人に見られることなく操作することができる。
【００４６】
他方、操作者が複数いて、複数の操作者がディスプレイ２２の画面２２ａに対して操作する場合、複数の操作者間の遮へい板４３を後方に揺動させることにより、複数の操作者が互いに話し合いながら同時にディスプレイ２２の画面２２ａに対する操作を行うことができる。なお、各遮へい板４３，４３は、一方のみを揺動させて用いることもできる。
【００４７】
ところで、図１、図５および図６に示すように、筐体１１の前面側には、プリンタ収納領域６ａ側に位置する第１前面扉１２ａと、課金システム収納領域６ｂ側に位置する第２前面扉１２ｂとが開閉自在に設けられている。
【００４８】
これら第１前面扉１２ａと第２前面扉１２ｂは観音開き構造をもち、いずれも筐体１１の前面側に配置されている。
【００４９】
また第１前面扉１２ａの前面には、透明な開閉扉１２ｃが開閉自在に設けられている。さらに第１前面扉１２ａの裏面には、２台のプリンタ２ａ，２ｂによりプリントされた写真画像印刷物を排出する排出部３が設けられている。この排出部３は上方のプリンタ２ａからの写真画像印刷物が投入される上方投入口３ａと、下方のプリンタ２ｂからの写真画像印刷物が投入される下方投入口３ｂとを有し、排出部３内には上方投入口３ａと下方投入口３ｂに連通する排出路が形成され、排出路の下端部には、写真画像印刷物が集積される集積部３ｃが設けられている。
【００５０】
またプリンタ収納領域６ａに対応する第１前面扉１２ａは、課金システム収納領域６ｂに対応する第２前面扉１２ｂより前方に位置している。
【００５１】
次に第１前面扉１２ａおよび第２前面扉１２ｂについて、図５および図６により詳述する。
【００５２】
図５に示すように、筐体１１の一方の（左側の）側方側板１１ｂは天板１１ａより前方に突出する前方突出部３７を有し、この前方突出部３７にヒンジ部３８を介して第１前面扉１２ａが開閉自在に取付けられている。そして天板１１ａの前方左側には開口３９が形成され、第１前面扉１２ａ上には閉時において天板１１ａの開口３９内に入り込む突片４０が設けられている。
【００５３】
また図６に示すように、筐体１１の他方の（右側の）側方側板１１ｂは、天板１１ａの前面と前後方向の同一位置にある取付部３１を有し、この取付部３１にヒンジ部３２を介して第２前面扉１２ｂが開閉自在に取付けられている。そして天板１１ａの前方右側には開口３４が形成され、第２前面扉１２ｂ上には閉時において天板１１ａの開口３４内に入り込む突片３５が設けられている。
【００５４】
また第２前面扉１２ｂには、コイン投入口１８ａ、お札投入口１８ｂおよびつり銭返却口１８ｃが各々設けられている。
【００５５】
このように筐体１１のプリンタ収納領域６ａに対応する第１前面扉１２ａが課金システム収納領域６ｂに対応する第２前面扉１２ｂより前方に位置しているため、一の写真画像プリントシステム１０の第１前面扉１２ａを開いた場合に隣接する写真画像プリントシステム１０の第２前面扉１２ｂに干渉することはない。
【００５６】
すなわち、使用にあたって複数の写真画像プリントシステム１０を横方向に並べて配置することがあり、この場合隣り合う写真画像プリントシステム１０間の間隔を狭くして全体の設置スペースを小さくしている（図４参照）。
【００５７】
この場合、各写真画像プリントシステム１０の第１前面扉１２ａと第２前面扉１２ｂの前方位置が一致していると、ある写真画像プリントシステム１０の第１前面扉１２ａを開いた場合、当該第１前面扉１２ａが隣接する写真画像プリントシステム１０の第２前面扉１２ｂに干渉することも考えられる。
【００５８】
これに対して本実施の形態によれば、第１前面扉１２ａを第２前面扉１２ｂより前方に配置することにより、ある写真画像プリントシステム１０の第１前面扉１２ａを開いた場合であっても、当該第１前面扉１２ａが隣接する写真画像プリントシステム１０の第２前面扉１２ｂと干渉することはない。
【００５９】
次にこのような構成からなる写真画像プリントシステム１０に組込まれた本発明による筺体／コインダクトシステム７０について、図５、図６および図９（ａ）（ｂ）により説明する。
【００６０】
ここで図９（ａ）は筺体／コインダクトシステム７０を示す側面図、図９（ｂ）はその正面図である。
【００６１】
図５、図６および図９（ａ）（ｂ）に示すように、筺体／コインダクトシステム７０は、上述した筺体１１と、この筺体１１内に設置された課金システム８と、筺体１１内に設置されるとともにコイン投入口１８ａと課金システム８とを連結するコインダクト６０とを備えている。
【００６２】
この場合、コインダクト６０は筺体１１の第２前面扉１２ｂの裏面に保持されている。
【００６３】
なお、筺体１１はコイン投入口１８ａ、お札投入口１８ｂおよびつり銭返却口１８ｃを含む第２前面扉１２ｂを有しているが、お札投入口１８ｂおよびつり銭返却口１８ｃは必ずしも第２前面扉１２ｂに設けなくてもよい。
【００６４】
また課金システム８はコイン投入口１８ａから投入され、コインダクト６０によって導かれたコインＣの種類および数量を検出するコインメック８ａと、コインメック８ａの下方に配置され、コインメック８ａを経てコインＣの種類および数量が検出されたコインＣを集積する集積部８ｂとを有している。
【００６５】
またコインメック８ａの上部にはコインメック８ａのコイン入口部８ｃが設けられている。さらに第２前面扉２ｂの裏面にはお札投入口１８ｂから投入されたお札を導入してその種類および数量を検出するお札処理部８ｄが設けられている。
【００６６】
またコインダクト６０は、上述のようにコイン投入口１８ａとコインメック８ａのコイン入口部８ｃとを連結するものである。このコインダクト６０はコイン投入口１８から投入されたコインＣを入口６０Ａを介して受け、このコインＣを下方へ導くコインシュータ６１とコインシュータ６１の両側に設けられた一対の側板ガイド６５ａ，６５ｂと、コインシュータ６１の下端に設けられコインシュータ６１からのコインＣの姿勢を垂直方向に向けてコインメック８ａのコイン入口部８ｃに導く姿勢変化部６４とを有している（図９（ａ）参照）。
【００６７】
また一対の側板ガイド６５ａ，６５ｂの上端は、天板６３により覆われている。
【００６８】
このうち、コインシュータ６１は傾斜して配置され、投入されたコインＣを自重により摺動させながら下方に向って導くようになっている。
【００６９】
また姿勢変化部６４は垂直方向に延びる断面四角状の筒体からなり、姿勢変化部６４の長さはコインＣの最大直径以上の長さをもつ。コインＣは複数種類をもつが、コインＣの最大直径とは最大形状をもつコインＣの直径のことをいう。
【００７０】
また、コインダクト６０の入口６０Ａにおいて、例えば一方の側板ガイド６５ａの内面に、コイン投入口１８ａから投入されたコインＣに当接してコインＣの移動速度を減速させる減速部材６７が設けられている。ここで、減速部材６７としては、筐体に用いられる鋼などの金属表面に比べて摩擦抵抗を得られる材質のものが望ましく、例えば、ゴム製、スポンジ製などのシート状物品や、毛足が長いブラシを用いることができる。
ところで、コインダクト６０の一対の側板ガイド６５ａ，６５ｂは、各々三角形状を有し、これら一対の側板ガイド６５ａ，６５ｂを取付部６０Ｄを介して筺体１１の第２前面扉１２ｂ裏面に固定することにより、コインダクト６０が全体として、第２前面扉１２ｂの裏面に保持される。
【００７１】
またコインダクト６０のコインシュータ６１を正面からみると、一方の側板ガイド６５ａは折れ曲がって内側に向って突出して突出部６６ａを形成し、他方の側板ガイド６５ｂは折れ曲がって外側に向って突出して突出部６６ｂを形成している（図９（ｂ）参照）。このためコインダクト６０の入口６０Ａからコインダクト６０内に投入されたコインＣは、上述のように内側に向って突出する一方の側板ガイド６５ａ内面に設けられた減速部材６７にはじめに当接することになる。
【００７２】
また図９（ｂ）に示すように、一対の側板ガイド６５ａ，６５ｂ間の幅は、コインダクト６０の入口６０Ａおよび出口６０Ｂにおいて狭くなっており、他方、一対の側板ガイド６５ａ，６５ｂ間の幅はコインダクト６０の略中央部に形成された一対の突出部６６ａ，６６ｂにおいて拡大している。
【００７３】
さらにコインシュータ６１上には、一方の側板ガイド６５ａ近傍に、コインＣに当接してコインＣの移動方向を変化させる複数の当接ピン６８が設けられ、この当接ピン６８に当接したコインＣは一方の側板ガイド６５ａ側から他方の側板ガイド６５ｂ側へ移動するようになっている。
【００７４】
次にこのような構成からなる本実施の形態の作用について説明する。
【００７５】
まず操作者は図１に示す写真画像プリントシステム１０の前方に立って写真画像プリントシステム１０の操作を行う。このような操作に先立って操作者は、まず手荷物等を筐体１１の右側に位置する載置台１６上に載置する。また必要に応じて操作者はカサをカサ立て用の把持部を載置台１６の凹部１７内に引掛ける。
【００７６】
次に操作者は、ＰＣ２０のディスプレイ２２の画面２２ａに対して必要な操作を行う。この間画像情報が格納されたＳＤカード、ＣＤ−ＲＯＭ等のデジタルメディア２１Ｄを、ＰＣ本体２１に設けられたデジタルメディア挿入口２１ａ内に挿入するとともに、コイン投入口１８ａまたはお札投入口１８ｂから必要な料金を支払う。
【００７７】
次にコイン投入口１８ａに投入されたコインＣがコインダクト６０により課金システム８のコインメック８ａに導かれる作用について詳述する。
【００７８】
まずコイン投入口１８ａに投入されたコインＣは入口６０Ａを経てコインダクト６０内に導かれる。この場合、コインダクト６０の入口６０Ａは、一枚のコインＣよりわずかに広い幅と高さを有し、このことにより、コインＣはコイン投入口１８ａから一枚ずつコインダクト６０内に導かれるようになっている。
【００７９】
入口６０Ａを介してコインダクト６０内に導かれたコインＣは、まず一方の側板ガイド６５ａ内面に設けられた減速部材６７に当接してその移動速度が減速する。このためコインダクト６０の入口６０Ａの外方にある後続するコインＣは、直ちに入口６０Ａからコインダクト６０内に入ることはできず、入口６０Ａからコインダクト６０内に導かれるコインＣの単位時間当たりの数量を低減することができる。
【００８０】
次にコインダクト６０内に送られたコインＣは、一方の側板ガイド６５ａ近傍に設けられた当接ピン６８に当接して他方の側板ガイド６５ｂ側へ移動すると共に、一対の側板ガイド６５ａ，６５ｂ間の幅を拡大して形成された一対の突出部６６ａ，６６ｂ間を通過する。このためコインダクト６０のコインシュータ６１上において、コインＣを適度に分散させることができ、コインシュータ６１上においてコインＣが干渉して詰まったりすることはない。
【００８１】
次にコインＣはコインシュータ６１上を自重により落下し、コインシュータ６１の下端から垂直筒体からなる姿勢変化部６４に向って導かれる。姿勢変化部６４に導かれたコインＣは、この姿勢変化部６４において、その姿勢が垂直方向を向くよう変化し、その後コインメック８ａのコイン入口部８ｃに導かれる。次にコインメック８ａにおいて、コインＣの種類および数量が検出され、コインメック８ａによって種類および数量が検出されたコインＣはコイン集積部８ｂへ送られる。
【００８２】
この場合、姿勢変化部６４は垂直方向に延びる垂直筒体からなり、この垂直筒体はコインＣの最大直径以上の長さを有するので、この姿勢変化部６４においてコインＣの姿勢を安全かつ確実に垂直方向に向けてコインメック８ａのコイン入口部８ｃ側へ導くことができる。
【００８３】
ここで、コインダクト６０の比較例を図１０（ａ）（ｂ）に示す。比較例としてのコインダクト６０はコインシュータ６１と、一対の側板ガイド６５ａ，６５ｂを有しているが、コインシュータ６１の下端はコインメック８ａのコイン入口部８ｃに直接連結されており、本願発明のように姿勢変化部６４は設けられていない。
図１０（ａ）（ｂ）に示す比較例において、図９（ａ）（ｂ）に示す本実施の形態と同一部分には同一符号を付して詳細な説明は省略する。
【００８４】
図１０（ａ）（ｂ）に示すように、コインダクト６０の一対の側板ガイド６５ａ，６５ｂはいずれも折れ曲がることのない平板からなり、互いに平行に延びている。また一対の側板ガイド６５ａ，６５ｂの幅は一定の値を保ち、コインＣの最大直径よりわずかに大きくなっている。
【００８５】
またコインシュータ６１の下端は、直接コインメック８ａのコイン入口部８ｃに連結されているため、コインシュータ６１から排出されたコインＣはコイン入口部８ｃの側壁６９に当接して垂直方向に姿勢が変わった後コイン入口部８ｃからコインメック８ａ内に導かれる。
【００８６】
この場合、コインＣがコイン入口部８ｃの側壁６９に当接している際、後続のコインＣが姿勢を変えている最中のコインＣの側面に当接し、このことにより姿勢を変えているコインＣがコイン入口部８ｃにおいて詰まってしまうことも考えられる。
【００８７】
これに対して本願発明によれば、図９（ａ）（ｂ）に示すようにコインシュータ６１の下端には、コインＣの最大直径以上の長さを有する垂直筒体からなる姿勢変化部６４が設けられているので、コインＣはこの姿勢変化部６４において後続するコインＣと干渉することなく、確実にその姿勢を垂直方向に向けるよう変化させた後、コイン入口部８ｃからコインメック８ａ内に導かれる。
【００８８】
また、本願発明によれば、図９（ｂ）に示すようにコインダクト６０のコインシュータ６１を正面からみると、一対の側板ガイド６５ａ，６５ｂ間の幅は、コインダクト６０の入口６０Ａおよび出口６０Ｂにおいて狭くなっており、他方、一対の側板ガイド６５ａ，６５ｂ間の幅はコインダクト６０の略中央部に形成された一対の突出部６６ａ，６６ｂにおいて拡大しているので、コインダクト６０のコインシュータ６１上において、コインＣを適度に分散させることができ、コインシュータ６１上においてコインＣが干渉して詰まったりすることはなく、コインＣはコインシュータ６１の下端から姿勢変化部６４に向って導かれる。
【００８９】
なお、本実施の形態では、第２前面扉１２ｂに設けられたコイン投入口１８ａの説明として、複数の種類及び数量のコインを同時に投入することができる受け皿タイプのコイン投入口１８ａを図示して説明したが、本発明は、このような受け皿タイプのコイン投入口が設けられた実施の形態に限定されて適用されるものではなく、コインを一枚ずつ投入するタイプのコイン投入口（図示せず）が設けられた実施の形態にも適用することができる。
【００９０】
以上のように、操作者がディスプレイ２２の画面２２ａに対して必要な操作を行い、デジタルメディア２１Ｄをデジタルメディア挿入口２１ａ内に挿入し、かつ必要な料金を支払うことにより、ＰＣ２０のＰＣ本体２１が作動してプリンタ２ａ，２ｂを駆動制御する。このことによりプリンタ２ａ，２ｂによりプリントされた写真画像印刷物が得られ、この写真画像印刷物は第１前面扉１２ａに設けられた排出部３の下端部にある集積部３ｃ内に集積される。
【００９１】
操作者は次に第１前面扉１２ａに設けられた透明な開閉扉１２ｃを開くことにより、集積部３ｃ内に集積された写真画像印刷物を取り出すことができる。その後、ＰＣ本体２１から操作テーブル１５のレシート口１５ｅを介してレシートが排出される。
【００９２】
この間、操作者はディスプレイ２２の画面２２ａの操作にあたって、必要に応じて遮へい板４３を前後方向に揺動し、ディスプレイ２２の画面２２ａに対する操作内容を他人に見られたくない場合は、遮へい板４３を前方へ揺動する。
【００９３】
ＰＣ本体２１に内蔵されていたレシート巻体を交換する場合、写真画像プリントシステム１０が設置されている店の従業者がまず第１前面扉１２ａを開く。次に従業者は操作用テーブル１５を前方へ引出してＰＣ本体２１の前面を露出させ、このように前面が露出したＰＣ本体２１に、新しいレシート巻体を装着する。
【００９４】
このように本実施の形態によれば、筐体１１の天板１１ａが一側（図１の左側）５０ａと他側（図１の右側）５０ｂとに区画され、天板１１ａの一側５０ａの後方にＰＣ２０が配置されるとともに、天板１１ａの一側の前方に操作用テーブル１５が前後方向に移動自在に配置されている。
【００９５】
また筐体１１の天板１１ａの他側５０ｂに、操作用テーブル１５の高さより低い高さの載置台１６が設けられている。このように筐体１１の天板１１ａの左右方向一側にＰＣ２０および操作用テーブル１５を配置したので、天板１１ａの左右方向中央にＰＣを載置する場合に比べて、天板１１ａの他側に手荷物等を載置するための載置台１６を広いスペースをもって設置することができる。このため操作者は足元の床面上ではなく、広いスペースをもつ載置台１６上に手荷物等を載置した後、ディスプレイ２２の画面２２ａに対して操作を行うことができる。このため操作中に手荷物等が盗まれることはなく、安全にディスプレイ２２の画面２２ａに対して操作を行うことができる。
【００９６】
また、載置台１６の高さを操作用テーブル１５の高さより低くすることにより、載置台１６を操作用テーブル１５から明瞭に区別することができる。このため載置台１６上に間違いなく手荷物を載置することができるとともに、写真画像印刷プリントシステムの意匠性も向上させることができる。
【００９７】
なお、第１前面扉１２ａを例えば赤色に着色し、第２前面扉１２ｂを赤色と異なる、例えば白色に着色することにより、写真画像プリントシステムの幅が実際よりも小さくみえる。このため、写真画像プリントシステムを図４に示すように並べた場合であっても、見た目に圧迫感を与えることはなく、意匠性も向上する。
【００９８】
このように第１前面扉１２ａと、第２前面扉１２ｂとを設けることによって、プリンタ２ａ，２ｂの部品を交換する場合は、店の従業者が第１前面扉１２ａ用のキーを用いて赤色の第１前面扉１２ａを開いてプリンタ２ａ，２ｂの部品を交換することができる。
【００９９】
他方、課金システム８中の現金を処理する場合は、店の管理者が第２前面扉１２ｂ用のキーを用いて白色の第２前面扉１２ｂを開いて課金システム８の現金を処理することができる。
【０１００】
このように第１前面扉１２ａと、第２前面扉１２ｂとを設けることにより、第１前面扉１２ａは店の従業者により取扱われ、第２前面扉１２ｂは店の管理者により取扱われるようにすることができ、第１前面扉を扱う担当者と第２前面扉を扱う担当者を明確に区別することができる。
【０１０１】
また上述のように、第１前面扉１２ａが第２前面扉１２ｂより前方に配置されているため、白色の第２前面扉１２ｂを赤色の第１前面扉１２ａに比べて実際よりもかなり小さく見せることができ、第１前面扉１２ａと第２前面扉１２ｂをより明確に区別することができる。
【符号の説明】
【０１０２】
２ａ，２ｂ  プリンタ
３  排出部
６ａ  プリンタ収納領域
６ｂ  課金システム収納領域
７  仕切板
８  課金システム
８ａ  コインメック
８ｂ  コイン集積部
１０  写真画像プリントシステム
１１  筐体
１１ａ  天板
１１ｂ  側方側板
１１ｃ  背面側板
１１ｄ  底板
１２ａ  第１前面扉
１２ｂ  第２前面扉
１５  操作テーブル
１５ａ  操作テーブル本体
１５ｂ  操作用垂直板
１５ｃ  開口
１５ｄ  スライドレール
１６  載置台
１７  凹部
１７ａ  スポンジ材
２０  ＰＣ
２１  ＰＣ本体
２１ａ  デジタルメディア挿入口
２２  ディスプレイ
２２ａ  画面
２５  ＰＣ囲い体
２５ａ  後方覆い板
２５ｂ  囲い体本体
２６  ディスプレイ覆い体
４２  ディスプレイ保持機構
４３  遮へい板
４４  天板側固定板
４５  ディスプレイ側固定板
４６  連結機構
６０  コインダクト
６１  コインシュータ
６３  天板
６４  姿勢変化部
６５ａ，６５ｂ  一対の側板ガイド
６７  減速部材
６８  当接ピン
７０  筐体／コインダクトシステム
【図１】
2012018537.tif 000003
【図２】
2012018537.tif 000004
【図３】
2012018537.tif 000005
【図４】
2012018537.tif 000006
【図５】
2012018537.tif 000007
【図６】
2012018537.tif 000008
【図７】
2012018537.tif 000009
【図８】
2012018537.tif 000010
【図９】
2012018537.tif 000011
【図１０】
2012018537.tif 000012